(57)【要約】  【課題】  本発明の目的の１つは、確実なメッセージの記録を可能ならしめることである。【解決手段】  本発明では、音声メッセージ記録用の記録媒体及び文字メッセージ記録用の記録媒体を備えた電話装置において、該記録媒体のうち記録可能な状態にある記録媒体を検出する記録媒体検出手段と、該検出した記録媒体が記録するのに適した形式でメッセージを送信するように通信相手装置に要求する要求手段と、  該通信相手装置から送信されたメッセージを前記検出した記録媒体に記録させる制御手段と、を有することを特徴とする電話装置を用いる。【選択図】        図６ 
2005160115.tif 000002
【特許請求の範囲】
【請求項１】
音声メッセージ記録用の記録媒体及び文字メッセージ記録用の記録媒体を備えた電話装置において、
該記録媒体のうち記録可能な状態にある記録媒体を検出する記録媒体検出手段と、
該検出した記録媒体が記録するのに適した形式でメッセージを送信するように通信相手装置に要求する要求手段と、
該通信相手装置から送信されたメッセージを前記検出した記録媒体に記録させる制御手段と、
を有することを特徴とする電話装置。
【請求項２】
前記記録媒体検出手段は、前記音声メッセージ記録用の記録媒体が更に記録可能な状態にあるか検出し、記録可能でない場合に、前記文字メッセージ記録用の記録媒体が更に記録可能な状態にあるか検出し、記録可能であると判断すると、前記要求手段は、文字メッセージを送信するように該通信相手装置に要求し、前記制御手段は、送信された文字メッセージを該文字メッセージ記録用の記録媒体に記録する、
ことを特徴とする請求項１記載の電話装置。
【請求項３】
各種留守番電話モードについて優先順を記憶する記憶手段を備え、
前記記録媒体が記録するのに適した形式は、記録可能な状態にある記録媒体のうち、該記憶手段に記憶された優先順により最も優先されるモードに対応する形式である、
ことを特徴とする請求項１記載の電話装置。
【請求項４】
前記各種留守番電話モードには、少なくとも音声留守番電話モード、文字留守番電話モードが含まれる、
ことを特徴とする請求項３記載の電話装置。
【請求項５】
前記記録媒体検出手段は、前記優先順により、優先順が高いモードから対応する記録媒体が記録可能な状態にあるかどうかを順に検出する、
ことを特徴とする請求項３記載の電話装置。
【発明の詳細な説明】
【技術分野】
【０００１】
本発明は、電話装置に関し、特に、通信を行なう相互装置間での機能の相異、状態等を配慮した電話装置に関し、対応可能な文字コードの相異による文字メッセージ送信の不具合の解消、負担の少ない確実なメッセージの記録を可能としたものである。
【背景技術】
【０００２】
従来の電話装置は着信時に、電話装置の使用者が電話装置から離れている場合、又は、応答による通話音声によって周囲の人に迷惑をかけてしまう場合であっても、応答を行うことなく、発呼者の音声メッセージを自動的に録音し、電話装置の持ち主が直接その後の操作によりこの音声メッセージを再生するという、いわゆる留守番電話機能を有するものがある。
【０００３】
例えば、移動通信端末装置には留守番電話モードが設けられており、自端末装置宛ての信号を着信したときには、着信音を鳴動せずに、バイブレータを起動することにより、振動により端末使用者に着信を知らせる。そして、一定時間内に端末使用者が応答を行わない場合には、発信者へ留守番電話に用件を録音するように要求する音声ガイダンス（「只今、電話に出られません…」等）を送信する。これにより、発信者は着信者が応答不可能な状態にあると認識し、着信側の音声録音部に音声メッセージとして用件を録音することとなる。該録音が終了すると通話回線は切断され、着信側の端末装置のディスプレイに音声メッセージが保存されているということが表示される。この表示を見た端末使用者は、着信があり、音声メッセージが自端末装置に録音されたことを認識し、自己が望む時に（音声通話が困難な情況が改善された時等）キーボード等の操作を行うことにより、この録音された音声メッセージを再生し、その用件を認識するというものである。
【０００４】
更に、特開平６−６２１０８号公報記載の電話装置においては、前述留守番電話モード以外にも、通話チャネルに入ることなく、電話をかけてきた相手の電話番号や文字メッセージを自動的に記録するモード（以下、このように音声ではなく、文字情報を記録するモードのことを文字留守番電話モードと称し、音声を記録する音声留守番電話モードと区別する）を設けている。
【０００５】
この電話装置の動作について簡単に説明すると、電話に出ることができない状態になることが予想される場合に、せめて相手の用件だけは音声、又は、文字メッセージのどちらかで記録したいと思うときに、予め音声留守番電話モード、又は、文字留守番電話モードのどちらか一方のみを予め選択しておく。そしてそのような状態において実際に着信があると、予め選択されたモードに応じた処理が行われる。即ち、音声留守番電話モードであれば、前述同様音声メッセージの録音処理が行われ、選択されたモードが文字留守番電話モードであれば通話チャネルに入ることなく、音声の替わりに文字メッセージの記憶が行われるとともに、着信端末装置のＬＣＤにその文字メッセージが表示され、端末使用者は相手の用件を認識するというものである。
【特許文献１】特開平６−６２１０８号公報
【特許文献２】特開平７−１４１４４７号公報
【発明の開示】
【発明が解決しようとする課題】
【０００６】
従来の留守番電話機能を備えた電話装置は音声留守番電話機能を発揮するためには、電話装置の本来の目的である通信機能を実現する装置の他に、音声録音をするための特別な装置を備えることが必要とされる。しかし、特に、移動通信端末装置にとっては、その携帯利用（小型、軽量、省電力化）の要請から、カセットテープ等の長時間音声を録音するのに適した媒体の搭載は好ましくなく、数件しか録音が行えず、一件あたりの録音時間も短い簡易な録音装置を使用せざるを得ない。
【０００７】
そこで、音声留守番電話モードに加えて文字留守番電話モードを設けた特開平６−６２１０８号公報記載の電話装置が考えられたが、音声留守番電話モードか文字留守番電話モードかのどちらか一方を予め択一的に決定しなければならいため、音声メッセージの録音容量がオーバーしてしまっているような場合に音声留守番電話モードを選択していると、文字メッセージの受付けは可能( 記録可能）であるにもかかわらず、文字留守番電話モードが選択されていないために発呼者の用件を記録することができずに、重要な用件を聞き漏らしてしまうという事態が生じてしまう等といった問題が生ずる。ここで、既に録音した音声メッセージのうち古いものを消去することにより、新たな音声メッセージの録音を可能とすることもできるが、不本意にも、過去の重要なデータが新たなメッセージ録音のために消去されてしまうという事態が生ずることとなるので、問題点の解決には至らない。
【０００８】
また、文字留守番電話モードに設定されている場合には、発信側の端末装置の機能等への配慮無く、着信側から発信側に一方的に文字メッセージの送信を促すガイダンスが流されるで、両者間で扱える文字コードの相異（例えば、発信側の端末装置はＩＡ５キャラクタに加えてＳＨＩＦＴ  ＪＩＳ（ひらがな等も扱える）への対応が可能であるが、着信側の端末装置は、ＩＡ５キャラクタのみ対応可能であるとき）があるときに、発信側の端末からＳＨＩＦＴ  ＪＩＳコードを用いて文字データを送信してしまうと、着信側はＳＨＩＦＴ  ＪＩＳコードを認識できずに、文字化けを起こす等の問題が発生することとなる。更に、発信側の端末使用者が文字メッセージの送信に不慣れな場合、どうしても音声にてメッセージを送りたいという要望があった場合にも、着信側の端末使用者が設定したモードが文字留守番電話モードである限り、一方的に文字メッセージを送信するように要求されるだけで、発信側の意志が全く反映されないということが生じてしまう。
【０００９】
そこで、本発明は、対応可能な文字コードの相異による文字メッセージ送受信の不具合を解消すること、及び、着信側の電話装置に音声メッセージの録音状態等に応じて、発呼側に要求するメッセージの形式を変更させることにより、着信側の電話装置に負担をかけることなく、確実なメッセージの記録を可能たらしめることを目的とする。
【課題を解決するための手段】
【００１０】
本発明においては、音声メッセージ記録用の記録媒体及び文字メッセージ記録用の記録媒体を備えた電話装置において、  該記録媒体のうち記録可能な状態にある記録媒体を検出する記録媒体検出手段と、該検出した記録媒体が記録するのに適した形式でメッセージを送信するように通信相手装置に要求する要求手段と、該通信相手装置から送信されたメッセージを前記検出した記録媒体に記録させる制御手段と、を有することを特徴とする電話装置を用いた。
【００１１】
本発明においては、更に、前記記録媒体検出手段は、前記音声メッセージ記録用の記録媒体が更に記録可能な状態にあるか検出し、記録可能でない場合に、前記文字メッセージ記録用の記録媒体が更に記録可能な状態にあるか検出し、記録可能であると判断すると、前記要求手段は、文字メッセージを送信するように該通信相手装置に要求し、前記制御手段は、送信された文字メッセージを該文字メッセージ記録用の記録媒体に記録する、ことを特徴とする電話装置を用いた。
【００１２】
本発明においては、更に、各種留守番電話モードについて優先順を記憶する記憶手段を備え、前記記録媒体が記録するのに適した形式は、記録可能な状態にある記録媒体のうち、該記憶手段に記憶された優先順により最も優先されるモードに対応する形式である、ことを特徴とする電話装置を用いた。
【００１３】
本発明においては、更に、前記各種留守番電話モードには、少なくとも音声留守番電話モード、文字留守番電話モードが含まれる、ことを特徴とする電話装置を用いた。
【００１４】
本発明においては、更に、前記記録媒体検出手段は、前記優先順により、優先順が高いモードから対応する記録媒体が記録可能な状態にあるかどうかを順に検出する、ことを特徴とする電話装置を用いた。
【発明の効果】
【００１５】
本発明によれば、電話装置は、自電話装置が有する記録媒体のうち更なるメッセージの記録が可能である記録媒体を検出し、その記録媒体に適した形式でメッセージを送信するように通信相手装置に対して送信する。従って、文字メッセージに変換する等の特別な措置を講ずる等自電話装置の負担を高めることなく、重要な用件の取得の可能性が高まる。例えば、音声メッセージ記録用の記録媒体が既に記録容量の限界に達してしまっている場合においても、他方の文字メッセージ記録用の記録媒体が更なる文字メッセージの記録可能状態でありさえすれば、その文字メッセージ記録用の記録媒体に適した文字メッセージという形式で通信相手のメッセージを記録することができ、留守番電話機能の更なる充実が図られる。
【発明を実施するための最良の形態】
【００１６】
以下に本発明の実施例についての説明をする。
【００１７】
（１）  着信側のマナーモード設定
図１は移動端末装置の原理図を表す。図において、１はアンテナ、２は送・受信部、３は符号・復号部、４は制御部、５はＲＡＭ（randam accecc memory）・ＲＯＭ（read only memory）等からなる記憶部、６はコーデック・音声パス制御部、７は音声録音・再生部、８はディスプレイ、９はキーボード、１０はサウンダ、１１はバイブレータ、１２はスピーカ、１３はマイクをそれぞれ表す。
【００１８】
尚、アンテナ１、送・受信部２、符号・復号部３、制御部４、ＲＡＭ・ＲＯＭ５を送信手段、受信手段、文字メッセージ送信手段、文字メッセージ受信手段として用いた。そして、アンテナ１、送・受信部２、符号・復号部３、制御部４、ＲＡＭ・ＲＯＭ５、コーデック音声パス制御部６、音声録音・再生部７を要求手段として用いた。また、制御部４を記録媒体検出手段、設定手段、設定制限手段、文字コード有無判定手段、制御手段として用いた。
【００１９】
図２は移動端末装置の外観図を表す。図において、図１と同一の符号を付したものは同一の部材を表す。また、９１は矢印キー、９２はテンキー、９３は送信キー、９４は応答キー、９５はメニューキー、９６は確定キーを表す。
【００２０】
また、図３は各種マナーモードの優先順位を設定する際の画面であるマナーモード優先順位設定画面の推移を表す。
【００２１】
着信側のマナーモード設定時の移動端末装置の動作について図１、２、３を用いて説明する。
【００２２】
移動端末装置使用者は、図２におけるメニューキー９５、矢印キー９１を操作することにより、図１のＲＡＭ・ＲＯＭ５からマナーモード設定メニューの情報を呼出し、ディスプレイ８に表示させる（図３画面１参照）。
【００２３】
図３画面１において音声留守番と表示されているものは、マナーモードの１つである音声留守番電話モードの略称であって、着信時の呼出しを図１におけるサウンダ１０を用いた呼出し音鳴動ではなく、バイブレータ１１を用いた振動により行い、一定時間内に着信側端装置使用者等が応答動作を行ない場合には、音声録音・再生部７に格納済みである音声留守番電話用の音声ガイダンス（例えば「只今電話に出ることができません。メッセージを録音致しますので、ご用件を音声にてお伝え下さい」等）を発信側端末装置に送信し、このガイダンスに従って発信側端末装置から音声メッセージが送信されると、音声録音・再生部７に音声メッセージを録音するモードである。また、文字留守番と表示されているものもマナーモードの１つである文字留守番電話モードの略称であって、着信時の呼出しを図１におけるサウンダ１０を用いた呼出し音鳴動ではなく、バイブレータ１１を用いた振動により行い、一定時間内に着信側端末にて応答が行われない場合には、音声録音・再生部７に格納済みである文字留守番電話用の音声ガイダンスを発信側端末装置に送信し、このガイダンスに従って発信側端末装置から文字メッセージが送信されると、ＲＡＭ・ＲＯＭ５に文字メッセージを記憶する。Ａ留守番とは、これらの組み合わせにかかるモードや、図１のバイブレータ１１による呼出しからガイダンスを流すまでの時間を変えたモード（例えば、バイブレータによる呼出しを行わず、即、ガイダンスを流す等のモード）、又は、これら以外の新たなマナーモードを総称するモードを表す。
【００２４】
さて、図３における画面１がディスプレイ８に表示されている状態においては、端末使用者は矢印キー９１及びテンキー９２を用いて、各種マナーモードについてその優先順位の入力をすることができる。即ち、図３における画面２のように１番最初に起動したいモードに対して１を入力し、そのモードが記憶容量等の関係上起動できないときのために、その次に起動させたいモードに対して２を入力し、その次は３というように入力し、どうしても起動したくないモードに対しては０を入力する。（この際、重複入力等の異常な入力はエラーメッセージをディスプレイ８に表示させる等して排除するようにするとよい。）さて、画面２のように入力を終えた後に、図２の確定キー９６を操作すると、各種マナーモードの設定メニュの登録を行うか否かの選択画面( 図３における画面３参照）がＲＡＭ・ＲＯＭ５から呼出され表示される。ここで、端末使用者が矢印キー９１を操作してＹＥＳを選択して、確定キー９６を操作すると、各種マナーモードについての優先順位の情報がＲＡＭ・ＲＯＭ５に格納されているマナーモード設定管理テーブルに記録される。
【００２５】
このマナーモード設定管理テーブルについて図４を用いて説明する。図４はマナーモード設定管理テーブルの構成を表す。
【００２６】
図において、マナーモード種別とは、音声留守番電話等の各種マナーモードの種別を表し、設定とは優先順位及び禁止設定（起動を行なわない設定）を表す。各種マナーモード優先順位設定が行われた留守番電話等のモードについては、マナーモード設定管理テーブルにその優先順位番号が該当マナー種別の設定として入力され、禁止設定が行われたモードについては設定として０が入力される。
【００２７】
（２）  着信時
優先順位設定が可能な移動端末装置に着信があったときのその動作について図５を用いて説明する。図５は移動端末装置における着信処理シーケンスを表す。
【００２８】
他の移動端末装置から前記留守番電話サービスの優先順位設定が可能な移動端末装置に対する発呼が行われると、図のように呼設定を行うための呼設定信号が基地局等によって構成されるネットワークに送られる。そして、ネットワークから呼設定を受け付けたことを通知する呼設定受付け信号が発信端末装置に送られるとともに、着信側端末装置には、呼出し信号が送信される。これに対して、着信側端末装置が呼出し応答信号をネットワークに返すと、ネットワークから呼設定を行うための呼設定信号が送信される。着信側移動端末装置が呼設定信号を受信したときの動作について図６を用いて説明する。図６は着信側移動端末装置の制御部４におけるマナーモード処理フローを表す。
【００２９】
図１の制御部４は図６に示す優先順位設定ありか否かの判定を図４のマナーモード設定管理テーブルを参照して行なう（ＳＴＥＰ１）。ここで、否のときは、通常の図１におけるサウンダ１０を起動し、呼出し音鳴動による呼出しが行われれる（ＳＴＥＰ２）。しかし、優先順位設定ありのときは、制御部４は優先順位が１に設定されたモードは何であるかをマナーモード設定管理テーブルを参照して判定する（ＳＴＥＰ３）。音声留守番モードであるときは、音声メッセージの記録が可能か否かの判定を行ない（ＳＴＥＰ４）、文字留守番モードであるときは、文字メッセージの記録が可能か否かの判定を行ない（ＳＴＥＰ５）、Ａ留守番であるときは、Ａ留守番の起動が可能か否かの判定を行なう（ＳＴＥＰ６）。
【００３０】
ここで、ＳＴＥＰ４、５、６の各判定について説明する。
【００３１】
ＳＴＥＰ４においては、制御部４はＲＡＭ・ＲＯＭ５に格納している図示していない音声録音件数及び録音時間管理データを参照して更なる音声メッセージを録音することができるか否かの判定を行う。
【００３２】
この音声録音件数及び録音時間管理データは制御部４が音声メッセージを音声録音・再生部７に録音する際に録音件数、録音時間をカウントし、その結果をＲＡＭ・ＲＯＭ５に音声録音件数及び録音時間管理データとして記憶させたものであり、制御部４はそのデータを参照し、予め定めた録音件数、又は、録音時間に達した場合は音声メッセージ録音不可と判断する。
【００３３】
ＳＴＥＰ５においては、制御部４はＲＡＭ・ＲＯＭ５に格納している図示していない文字メッセージ管理データを参照して更なる文字メッセージを記録することができるか否かの判定を行う。この文字メッセージ管理データは制御部４が文字メッセージをＲＡＭ・ＲＯＭ５に記録する際に、何ＢＹＴＥ分の文字メッセージを記録したかをカウントし、その結果をＲＡＭ・ＲＯＭ５に文字メッセージ管理データとして記憶させたものであり、制御部４はそのデータを参照し、予め定めた容量に達した場合に文字メッセージ記録不可能と判断する。
【００３４】
ＳＴＥＰ６におけるＡ留守番についても、その起動が可能か否かの判定を制御部４が行なう。
【００３５】
さて、ＳＴＥＰ４の判定において、記録可能と判定すると、制御部４は通常の着信処理により、音声通話パスをはるとともに音声録音・再生部７に録音済みの音声ガイダンスを符号・復号部３で符号化し、送・受信部２で変調等した後にアンテナ１を介して発信側端末装置に送信する。発信側端末装置使用者はこのガイダンスを聴き、音声メッセージを着信側端末装置に送ることにより、着信側端末装置の音声録音・再生部７に音声メッセージが録音されることとなる。この録音された音声メッセージは、着信端末使用者が図２のメニューキー９５、テンキー９２等を操作することにより、コーデック・音声パス制御部６の制御を受けて、図１のスピーカ１２から音声として出力される。
【００３６】
しかし、ＳＴＥＰ４において、不可能と判定すると、次の優先順位に指定されたモードが有るか否かの判定を行なう（ＳＴＥＰ８）。ここで、無しの場合は、制御部４は図面１のバイブレータ１１を起動し、振動による呼出しを開始し、発信側端末装置において切断が行われるか、着信側端末装置において応答キー９４操作による応答が行なわれるまでその呼出しは続けられる（ＳＴＥＰ１０）。
【００３７】
ＳＴＥＰ８において、次に優先順位に設定されたモードがある場合には、制御部４はそのモードは何であるかの判定を行なう（ＳＴＥＰ９）。そのモードが文字留守番であれば、ＳＴＥＰ５に移り、Ａ留守番であればＳＴＥＰ６へ移る。
【００３８】
ＳＴＥＰ６へ移った場合には、制御部４がＡ留守番起動可能か否かの判定を行い、可能であればＡ留守番の起動が行われ（ＳＴＥＰ１２）、起動不可能と判定すると、前記処理（ＳＴＥＰ８）が行なわれる。
【００３９】
また、ＳＴＥＰ５へ移った場合には、制御部４は文字メッセージが記録可能か否かの判定を行なう（ＳＴＥＰ５）、ここで、文字メッセージの記録不可能と判定すると、前記処理（ＳＴＥＰ８）が行なわれる。一方、記録可能と判定したときの処理であるが、これについては、図７を用いて説明する。図７は図６のＳＴＥＰ５において、文字メッセージ記録可能時の着信処理シーケンスを表す。
【００４０】
制御部４は文字メッセージ記録可能と判定すると、図１のバイブレータ１１を起動して振動による呼出しを開始し、応答タイマをスタートするとともに、着信端末装置において呼出しを開始したことを伝えるアラート信号をネットワークに向けて送信する。この信号を受信したネットワークは、発信側端末装置に対して着信側端末装置において呼出しが開始されたことを伝えるアラート信号を送信する。そして、このアラート信号の送信と同時、もしくは、送信後に、フィーチャーアクティベーション信号（以下、ＦＡ信号と称す）をネットワークを介して発信側端末装置に送信し、フィーチャーインディケーション信号受信タイマをスタートする。
【００４１】
ＦＡ信号の構成例について図８、９を用いて説明する。図８はＦＡ信号の構成例を表す。
【００４２】
図中、情報要素識別子と書かれた部位にはＦＡ信号であることを表すメッセージ種別が書き込まれ、フィーチャーアクティベーション内容長と書かれた部位にはＦＡ信号の情報長が書き込まれ、フィーチャー識別子番号と書かれた部位には、文字コードの種別を表す情報( 以下、文字コード情報と称す)が書き込まれる。
【００４３】
この文字コード情報について図９を用いて簡単に説明する。図９は文字コード情報の構成例を表す。ＦＡ信号のフィーチャー識別子番号として未使用の番号を使用するとともに、図のように、１ビット目の１、０によりそれぞれＩＡ５キャラクタの対応、非対応を表し、２ビット目の１、０によりＳＨＩＦＴ  ＪＩＳの対応、非対応を表し、３ビット目の１、０によりＡＳＣＩＩの対応、非対応を表すといったように構成する。これにより、着信端末装置が対応可能な文字コードについて発信側端末装置が対応可能か否かを問い合わせることができる。
【００４４】
即ち、着信側端末装置の制御部４はＲＡＭ・ＲＯＭ５に格納されている自己の端末装置が対応可能な文字コードを表す文字コード情報を取得し、その情報をフィーチャー識別子番号と書かれた部位に書き込むことによりＦＡ信号を作成し、符号・復号部３、送受信部２を介してアンテナ１から作成したＦＡ信号を発信側端末装置に向けて送信する。
【００４５】
このＦＡ信号をアンテナ１、送・受信部２、符号・復号部３を介して受信した発信側端末装置の制御部４は、ＦＡ信号の情報要素識別子に書き込まれた情報からこの信号がＦＡ信号であることを認識するとともに、フィーチャー識別子に書き込まれた文字コード情報を取得する。ここで、フィーチャー識別子に書き込まれた新たに定義された文字コード情報を認識できない場合は、このＦＡ信号は誤りとして破棄し、ＦＡ信号に対する応答信号は送信しない。しかし、フィーチャー識別子に書き込まれた新たに定義された文字コード情報を認識できる場合には、制御部４は自己の端末装置が対応可能な文字コード情報をＲＡＭ・ＲＯＭ５から取得し、着信側端末から送信されたＦＡ信号中の文字コード情報との比較を行い、両端末装置が対応可能な文字コード情報を作成する。即ち、文字コード情報中、ＩＡ５キャラクタ等の文字コードの対応、非対応を表す部分のデータ（以下、文字コード対応データと称す）を比較し、両端末が対応可能である文字コード（双方１が入力されている文字コード）については１とし、少なくとも一方の端末装置が非対応の文字コードについては、０とすることにより、両端末装置が対応可能な文字コード情報を作成し（もちろん両端末装置において双方対応可能な文字コードが存在しない場合には、文字コード対応データには全て０が入力される）、この作成した情報を含むフィーチャーインディケーション信号（以下、ＦＩ信号と称す）を符号・復号部３、送・受信部２、アンテナ１を介して着信側端末装置に向けて送信する。
【００４６】
このＦＩ信号の構成例について図１０を用いて説明する。図１０はＦＩ信号の構成例を表す。
【００４７】
図中、情報要素識別子と書かれた部位にはＦＩ信号であることを表すメッセージ種別が書き込まれ、フィーチャーインディケーション内容長と書かれた部位にはＦＩ信号の情報長が書き込まれ、フィーチャー識別子番号とかかれた部位には、作成した両端末装置が対応可能な文字コード情報が書き込まれ、フィーチャー状態表示と書かれた部位には、本実施例のような文字コード情報の構成をとる場合には特に用いる必要はないので、適当なデータを書き込み、それを無視することとしてもよい。
【００４８】
尚、発信側端末装置においては対応可能な文字コードではあるが、両端末装置が対応可能な文字コードとして着信側端末装置に送信した文字コードでない文字コードについては、制御部４により入力禁止状態に設定され、その文字コードによる入力はエラーとされる。
【００４９】
さて、着信端末装置の制御部４は、ネットワークを介してＦＩ信号を受信すると、フィーチャーインディケーション信号受信タイマを止めるとともに、ＦＩ信号から文字コード対応データを取得し、文字コード対応データが全て０か否かの判定を行う。ここで、全て０である場合には、両端末装置において双方対応可能な文字コードがないということであるから、文字留守番電話モード起動不可能と判断し、図６におけるＳＴＥＰ７に移行する。また、フィーチャーインディケーション受信タイマがタイムアウトする前にＦＩ信号を受信できなかった場合もこれと同様に、文字留守番電話モード起動不可能と判断し、ＳＴＥＰ７に移行する。これにより、着信端末装置が対応可能な文字コードについて発信側端末装置が対応可能か否かを問い合わせるために送信したＦＡ信号を認識し、ＦＩ信号をその応答として送信できないような端末装置が発信側の端末装置であった場合にも正常な動作が確保される。
【００５０】
一方、文字コード対応データが全て０でなく、１が入力されている文字コードが存在する場合には、着信側端末装置においては対応可能な文字コードではあるが、１が入力されていない文字コードについては、制御部４により入力禁止状態に設定され、その文字コードによる入力を行なうと、図１のディスプレイ８にエラー表示が行われる。
【００５１】
さて、応答タイマがタイムアウトするまでに着信側端末装置において応答が行われれば、その時点から通常の音声通話処理が行われるが、タイムアウトするまでに応答が行われない場合、制御部４は自動的に着信側端末装置において応答が行われたことを伝えるコネクション信号をネットワークに送信する。ネットワークはこの信号を受信すると、コネクション信号を受信したことの確認としてコネクション応答信号を着信側端末装置に対して送信するとともに、発信側端末装置に対して着信側端末装置で応答が行われたことを伝えるコネクション信号を送信する。発信側端末装置がこの信号を受信した時点で、発信側と着信側の端末装置間の音声通話パスがはられる。そして、その音声通話パスを介して着信側端末装置の制御部４は、コーデック・音声パス制御部６に、音声録音・再生部７に格納済みの文字留守番用の音声ガイダンスを、符号・復号部３、送・受信部２、アンテナ１を介して送信するように指示し、このガイダンスは発信側端末装置に向けて送信される。
【００５２】
さて、この音声ガイダンスメッセージを受信した発信側端末使用者は、キーボード９の操作により、禁止設定されていない文字コード（共通して対応可能な文字コード）のみによる文字メッセージを作成し、送信キー９３を操作することにより、ユーザーインフォメーション信号等によって、文字メッセージを着信側端末に送信する（もちろん、これ以外の信号によって送信しても問題はない）。着信側端末が該文字メッセージを受信すると、制御部４はＲＡＭ・ＲＯＭ５にこのメッセージを記録するとともに、ディスプレイ８にそのメッセージを文字に変換した上で一定時間表示する。従って、最初に音声留守番電話モードを起動するように設定していたが、音声の録音が不可となってしまっていた場合でも、文字メッセージ記録手段への移行が自動的に行われ、重要な用件を受信しそこなうような事態を防ぐことができることとなる。
【００５３】
そして、この発信側端末装置が文字メッセージを送信し、着信側端末装置が文字メッセージを受信するとすぐに、両端末装置間の音声通話パスの切断を行なうこととしてもよいが、着信側端末装置使用者がその文字メッセージに対して返事を文字メッセージにて送りたいという場合には、両端末装置間の音声通話パスの切断をすぐには行なわず、切断操作時（他の例として、一定時間経過後等が挙げられる）とすると文字メッセージの送受信による文字会話を行なうことができる。
【００５４】
即ち、着信側端末装置使用者はキーボード９を操作することにより、発信側端末装置が対応可能な文字コードを用いて文字メッセージを作成した後に、これを送信する。そして、これを受信した発信側端末装置使用者が再び、文字メッセージを送信を行なうといったように文字メッセージの送受信を行い、文字会話が終了した時にいずれかにおいて切断操作が行なわれると、音声通話パスを切断するのである。
【００５５】
尚、端末装置のＲＡＭ・ＲＯＭ５内に格納された自己端末装置が対応可能な文字コードを表す文字コード情報をキーボード９等の外部入力により変更可能なものとすると、更に次のようなことが可能となる。
【００５６】
例えば、どうしても音声による通話を望むとき、文字メッセージの取り扱いに不慣れな場合等については、発信を行なう前に文字コード情報を対応可能な文字コード全てについて対応不可能なことを表す０に変更する。これにより、着信側端末装置使用者の設定が文字留守番電話モードである場合であっても、両端末装置が共通して対応可能な文字コードが確実になくなり、文字留守番電話モードが起動されることはない。従って、強制的にその通信形式を文字メッセージ送受信に制限されてしまうことを回避することができので、発信を行なうものの希望が反映されることとなる。
【００５７】
また、本実施例においては、両端末装置で共通する文字コードでない文字コードについては入力を禁止することにより文字化け等を防止したが、入力は許可するが、入力された文字コードを両端末装置で共通する文字コードに自動的に変換したり、使用可能な文字コードをディスプレイ表示、音声出力等することにより、端末使用者に通知し、使用する文字コードの制限を端末使用者に行なわせることもできる。
【００５８】
また、本実施例においては、ＦＡ信号、ＦＩ信号を文字コード情報のやりとりのために使用したが、自端末装置が対応可能な文字コードを伝える手段として他の信号を用いることを妨げるものではない。
・ 実施例における効果について
本実施例によれば、文字メッセージを送信する電話装置は、通信相手装置から送信される該通信相手装置が対応可能な文字コードに制限して文字メッセージの送信を行なう。従って、通信を行なう装置間における対応可能な文字コードの相異により生ずる、文字化け等の問題を解消することができ、通信相手の通信装置に対して正確な文字メッセージ情報の伝達が可能となる。
【００５９】
また、本実施例によれば、文字メッセージを受信する電話装置は、通信相手装置に対して自電話装置が対応可能な文字コードを伝えるための情報を送信するので、通信相手の通信装置は、その情報に基づき、両装置が対応可能な文字コードに制限したメッセージの送信を行なうことができる。従って、両装置間における対応可能な文字コードの相異により生ずる文字化け等の問題を解消することができ、正確な文字メッセージ情報の取得が可能となる。
【００６０】
また、本実施例によれば、文字メッセージを送受信する電話装置は、通信相手の通信装置との間で対応可能な文字コードを伝えるための情報をやりとりするため、文字メッセージによる会話等を行う場合においても文字化け等の文字コードの相異により発生する問題を解消することができる。従って、両装置間で正確なメッセージの送受信を行なうことが可能となる。
【００６１】
また、本実施例によれば、電話装置は、両装置に共通して対応可能な文字コードがあるか否かを判定し、ある場合には文字メッセージを送信するように要求し、無い場合には文字メッセージを送信するように要求しない。従って、文字化け等の問題が生ずる恐れがない通信装置に対しては文字メッセージを送信するように要求するが、文字メッセージを送信することができない通信装置、文字メッセージを送信されると文字化け等の問題が生じる可能性の高い通信装置に対しては、文字メッセージを送信するように要求することはなく、文字メッセージの送信ができない通信装置等に対して一方的に文字メッセージの送信を要求してしまい、通信相手の通信装置使用者を困らせるような事態の発生を防ぐことができる。
【００６２】
また、本実施例においては、電話装置は、自電話装置が有する記録媒体のうち更なるメッセージの記録が可能である記録媒体を検出し、その記録媒体に適した形式でメッセージを送信するように通信相手装置に対して送信する。従って、文字メッセージに変換する等の特別な措置を講ずる等自電話装置の負担を高めることなく、重要な用件の取得の可能性が高まる。例えば、音声メッセージ記録用の記録媒体が既に記録容量の限界に達してしまっている場合においても、他方の文字メッセージ記録用の記録媒体が更なる文字メッセージの記録可能状態でありさえすれば、その文字メッセージ記録用の記録媒体に適した文字メッセージという形式で通信相手のメッセージを記録することができ、留守番電話機能の更なる充実が図られる。
【００６３】
また、本実施例においては、電話装置は、設定により、他の通信装置からの着信があると、該他の通信装置に対して文字コード情報の送信及び文字メッセージの送信要求を行なうが、該他の通信装置から文字コード情報が送信され、両端末装置が対応して可能な文字コードが無い場合には設定された文字メッセージの送信要求は行なわない。従って、他の通信装置に対して自動的に通信形式として文字メッセージ送信を指定することができるとともに、両装置に共通して対応可能な文字コードが無い場合には文字メッセージの送信要求を行なわないで、両装置の機能等を考慮しつつ、着信側の端末装置からの通信形式指定が可能となる。
【００６４】
また、本実施例においては、電話装置を特に、移動通信端末装置とした。移動通信端末装置はその携帯利用性から小型化、軽量化に対する要望が特に強いため音声メッセージ記録用の記録媒体を大容量とすることは困難であることから鑑みて本発明により得られる効果が非常に高まる。
【図面の簡単な説明】
【００６５】
【図１】移動通信端末装置の原理図を表す。
【図２】移動通信端末装置の外観図を表す。
【図３】マナーモード優先設定メニュー画面の推移を表す。
【図４】マナーモード管理テーブルを表す。
【図５】着信処理シーケンスを表す。
【図６】マナーモード処理を表す。
【図７】文字メッセージ記録可能時の着信処理シーケンスを表す。
【図８】ＦＡ信号の構成例を表す。
【図９】文字コード情報の構成例を表す。
【図１０】ＦＩ信号の構成例を表す。
【符号の説明】
【００６６】
１  アンテナ
２  送・受信部
３  符号・復調部
４  制御部
５  ＲＡＭ・ＲＯＭ
６  コーデック・音声パス制御部
７  音声録音・再生部
８  ディスプレイ
９  キーボード
１０  サウンダ
１１  バイブレータ
１２  スピーカ
１３  マイク
９１  矢印キー
９２  テンキー
９３  送信キー
９４  応答キー
９５  メニューキー
９６  確定キー
【図１】
2005160115.tif 000003
【図２】
2005160115.tif 000004
【図３】
2005160115.tif 000005
【図４】
2005160115.tif 000006
【図５】
2005160115.tif 000007
【図６】
2005160115.tif 000008
【図７】
2005160115.tif 000009
【図８】
2005160115.tif 000010
【図９】
2005160115.tif 000011
【図１０】
2005160115.tif 000012